(57)【要約】【課題】海中から船上への引上げ中に貝類の落下、脱落がなく、歩留まりが向上し、効率の良い引上げ作業ができ、労力負担も軽減できるようにすることにある。【解決手段】  数枚の羽根を備えた引上げガイドを船に取付けて回転させ、その回転中に前記羽根を水平回転させて、海中の養殖物を引上げて前記羽根の上に水平状態でのせ、羽根の上から水平状態で船上に又は船上の洗浄機に送り出すことにより、養殖物が側面に横向きに出し入れ口を備え内部に貝類を入れた養殖カゴの場合は、養殖カゴの底面が下で前記出し入れ口が横向きの水平状態で引上げ、その水平状態で船上に又は船上の洗浄機に送り出すことができるようにした。【選択図】図２
2015136331.tif 000002
【特許請求の範囲】
【請求項１】
海中の貝類入り養殖カゴ、貝類付きロープ等の養殖物を引上げる方法において、
船に引上げガイドを取付け、その引上げガイドにより、海中で養殖中の養殖物を水平状態で引上げ、引上げた養殖物を水平状態で船上に又は船上の洗浄機に送り出すことができるようにした、
ことを特徴とする養殖物引上げ方法。
【請求項２】
海中の貝類入り養殖カゴ、貝類付きロープ等の養殖物を引上げる方法において、
数枚の羽根を備えた引上げガイドを船に取付けて回転させ、その回転中に前記羽根を水平回転させて、海中の養殖物を引上げて前記羽根の上に水平状態でのせ、羽根の上から水平状態で船上に又は船上の洗浄機に送り出すことができるようにした、
ことを特徴とする養殖物引上げ方法。
【請求項３】
請求項１又は請求項２記載の養殖物引上げ方法において、
養殖物が、側面に横向きに出し入れ口を備え内部に貝類を入れた養殖カゴの場合は、養殖カゴの底面が下で前記出し入れ口が横向きの水平状態で引上げ、その水平状態で船上に又は船上の洗浄機に送り出すことができるようにした、
ことを特徴とする養殖物引上げ方法。
【請求項４】
海中の貝類入り養殖カゴ、貝類付きロープ等の養殖物を引上げて、その引上げ中に、又は船上において前記養殖物を洗浄する養殖物洗浄方法において、
養殖物を、請求項１から請求項３のいずれか１項に記載の養殖物引上げ方法により海中から引上げ、船上において前記養殖物に洗浄体を噴射して養殖物を洗浄する、
ことを特徴とする養殖物洗浄方法。
【請求項５】
海中の貝類入り養殖カゴ、貝類付きロープ等の養殖物を引上げて、その引上げ中に、又は船上において前記養殖物を洗浄する養殖物洗浄方法において、
養殖物を、請求項１から請求項３のいずれか１項に記載の養殖物引上げ方法により海中から引上げ、引上げ中に羽根の上に水平にのせた養殖物に洗浄体を噴射して養殖物を洗浄する、
ことを特徴とする養殖物洗浄方法。
【請求項６】
海中の貝類入り養殖カゴ、貝類付きロープ等の養殖物を引上げて、その引上げ中に、又は船上において前記養殖物を洗浄する養殖物洗浄方法において、
養殖物を、請求項１から請求項３のいずれか１項に記載の養殖物引上げ方法により海中から引上げ、船上の洗浄機に水平状態で引込まれた養殖物に、洗浄機において洗浄体を噴射して養殖物を洗浄することを特徴とする養殖物洗浄方法。
【請求項７】
請求項５記載の養殖物洗浄方法において、
引上げガイドの外周にケースを被せて、養殖物から落ちる汚れの飛散を防止する、
ことを特徴とする養殖物洗浄方法。
【請求項８】
請求項５記載の養殖物洗浄方法において、
引上げガイドをその全部又は一部が船の外に突出するように船に取付け、その外周に、汚れの飛散を防止できるケースを被せた、
ことを特徴とする養殖物洗浄方法。
【請求項９】
請求項４から請求項８のいずれか１項に記載の養殖物洗浄方法において、
洗浄体の噴射を二回以上行って養殖物を洗浄し、最初の噴射が高圧噴射、二回目以降の噴射が最初の噴射よりも低圧噴射である、
ことを特徴とする養殖物洗浄方法。
【請求項１０】
請求項４から請求項９のいずれか１項に記載の養殖物洗浄方法において、
海中からの養殖物の引上げ、洗浄、海中への戻しを連続して行う、
ことを特徴とする養殖物洗浄方法。
【請求項１１】
海中の養殖物を引上げて、養殖物を船上に又は船上の洗浄機に送り出すことができる養殖物引上げガイドにおいて、
養殖物引上げガイドは回転式であり、引上げ中の養殖物をのせることのできる羽根を数枚備え、それら羽根は回転支持体に取り付けられて回転支持体と共に回転（公転）しながら自転して水平状態に維持することができ、その水平状態で養殖物を船上側に送り出し可能なものである、
ことを特徴とする養殖物引上げガイド。
【請求項１２】
請求項１１記載の養殖物引上げガイドにおいて、
羽根が、汚れが落下できる大きさの網目、孔、隙間を備えた、
ことを特徴とする養殖物引上げガイド。
【請求項１３】
海中の養殖物を船上に引上げながら又は引上げてから洗浄する養殖物洗浄装置において、
養殖物を海中から引上げて船上に案内する回転式の引上げガイドと洗浄機を備え、
引上げガイドは回転支持体に数枚の羽根が取付けられ、それら羽根は回転支持体の回転により公転しながら自転して水平状態で回転して、海中から引上げた養殖物をのせることができ、その水平状態で船上側に送り出し可能であり、前記洗浄機は前記回転中の羽根の上に水平状態でのせた養殖物に洗浄体を噴射して洗浄することができる、
ことを特徴とする養殖物洗浄装置。
【請求項１４】
海中の養殖物を船上に引上げながら又は引上げてから洗浄する養殖物洗浄装置において、
養殖物を海中から引上げて船上に案内する回転式の引上げガイドと洗浄機を備え、
引上げガイドは回転支持体に数枚の羽根が取付けられ、それら羽根は回転支持体の回転により公転しながら自転して水平状態で回転して、海中から引上げた養殖物をのせることができ、その水平状態で船上側に送り出し可能であり、前記洗浄機は前記回転中の羽根の上に水平状態でのせた養殖物に洗浄体を噴射して洗浄することができる、
ことを特徴とする養殖物洗浄装置。
【請求項１５】
請求項１３又は請求項１４記載の養殖物洗浄装置において、
養殖物が、側面に横向きに出し入れ口を備え内部に貝類を入れた養殖カゴの場合は、養殖カゴの底面が下で前記出し入れ口が横向きの水平状態で引上げて羽根の上にのせることができ、洗浄機が羽根の上の水平状態の養殖物に洗浄体を噴射して洗浄することができる、
ことを特徴とする養殖物洗浄装置。
【請求項１６】
請求項１３から請求項１５のいずれか１項に記載の養殖物洗浄装置において、
洗浄機は外周にケースを備え、ケースは洗浄時の汚れが外部に飛散するのを防止できるものである、
ことを特徴とする養殖物洗浄装置。
【請求項１７】
請求項１３から請求項１６のいずれか１項に記載の養殖物洗浄装置において、
洗浄時の汚れが海中に落下できるように、引上げガイドをその全部又は一部が船の外に突出するように船に取付け、その外周にケースを被せ、ケースは洗浄時の汚れが外部に飛散するのを防止できるものである、
ことを特徴とする養殖物洗浄装置。
【請求項１８】
請求項１３から請求項１７のいずれか１項に記載の養殖物洗浄装置において、
ケースは前面に入口が、後面に出口が、側面に導入口が開口され、その導入口が前記入口と出口に連通して、海中から引上げた養殖物を導入口からケース内に引込み可能である、
ことを特徴とする養殖物洗浄装置。
【請求項１９】
請求項１３から請求項１８のいずれか１項に記載の養殖物洗浄装置において、
洗浄機が、高圧洗浄装置と、それよりも圧力の低い低圧洗浄装置を備え、高圧洗浄装置からの高圧洗浄体の噴射後に、低圧洗浄装置から低圧洗浄体が噴射されるようにした、
ことを特徴とする養殖物洗浄装置。
【請求項２０】
請求項１３から請求項１９のいずれか１項に記載の養殖物洗浄装置において、
養殖物の引上げ、洗浄、海中への戻しを連続して行う、
ことを特徴とする養殖物洗浄装置。
【発明の詳細な説明】
【技術分野】
【０００１】
本願発明は、養殖物を海中から引上げる方法と、引上げ中に又は船上に引上げてから洗浄する洗浄方法と、養殖物を船上に引上げる引上げガイドと、海中から引上げながら又は船上に引上げてから養殖物を洗浄することができる洗浄装置に関するものである。特に、帆立貝、牡蠣、真珠貝、その他の貝（以下、「貝類」という。）を入れて海中に吊るしてある養殖カゴ、耳吊り養殖のために海中に吊るしてある貝類付きロープ等の養殖物を海中から引上げて、それら養殖物を洗浄したり、出荷したりするのに適するものである。
【背景技術】
【０００２】
貝類の養殖の主な方法として、籠養殖と耳吊り養殖がある。
【０００３】
籠養殖は四角錐形状の養殖カゴ（通称；座布団カゴ）や円筒状の丸カゴ（通称；提灯カゴ）の中に貝類を入れ、これら座布団カゴや提灯カゴなど（以下、これらをまとめて「養殖カゴ」という。）を多数連結して海中に吊下げて養殖する方法である。
【０００４】
耳吊り養殖はロープに差し込んだ樹脂製の貝係止具やテグスを、貝類に開けた孔に通して貝類をロープに係止し、その貝類付きロープを海中に吊下げて養殖する方法である。
【０００５】
前記座布団カゴの一例を図１３に示す。この養殖カゴ１は、防食加工された金属線材で作られた方形の枠材２に、金属線材の補強材３を十字状に組み合わせた枠体４を底面とし、その枠体４の外周にネット５を略四角錐の形状（ピラミッド形）に張って、ネット５の内側に貝類を収容する空間を形成してある。また、枠体４の中心部（十字状の補強材３の中央部）Ａに吊り紐６を結び、その吊り紐６を前記空間内を通してネット５の頂部Ｂに結んで、吊り紐６の上側を上方に引くと、四角形の枠体４を底面とするピラミッド形となるようにしてある。また、ネット５の底面の四つのコーナーから頂部Ｂに向かう四つの稜線のうち、一つの稜線上に出し入れ口７が設けられ、そこから貝類を出し入れできるようにしてある。出し入れ口７はその全長を閉じ紐で閉じることもあるが、全長を閉じると貝類の出し入れ時に閉じ紐をほどく面倒があるため、途中までしか閉じないとか、ほとんど閉じないこともある。
【０００６】
籠養殖は、予め、前記吊り紐６で縦に多数個（通常６〜２０個程度）連結し、それら養殖カゴ１の最上段の養殖カゴの吊り紐６に案内紐（業界では「テボ」と呼ばれている）Ｇ（図１４）を取り付け、そのテボＧを図１４のように浮き玉Ｏで海上に浮かせてある幹ロープＰに繋いで、多数の養殖カゴ１を海中に吊下げ、養殖カゴ１内の貝類を養殖する方法である。養殖カゴ１はその底面が下になり、出し入れ口７が上（横向き）になって、海中で水平姿勢に吊下げられて養殖される。
【０００７】
籠養殖でも、耳吊り養殖でも、海中に長期間吊るしておくと養殖カゴ、ロープ、貝類に海藻や雑物が付着して貝類の成長が阻害される。貝類の成長促進のためには、養殖中に貝類を洗浄する必要がある。籠養殖では養殖カゴを、耳吊り養殖では貝類付きロープを、海中から船上に引上げて洗浄している。海中からの引上げは貝類の出荷時にも行われる。
【０００８】
養殖カゴ１の引上げ時には、従来は、図１５のように、船Ｓの横に回転ロールＲを取り付け、その回転ロールＲを回転させて海中から養殖カゴ１を引上げ、その養殖カゴ１を回転ロールＲの四枚（５枚の場合もある）の羽根Ｗの上に順次のせて船上に送り出している。この場合、通常は、船上の作業員Ｈが養殖カゴ１を手で引いて船上に引上げて船上に溜めておき、その養殖カゴ１を、作業員Ｈが船上の洗浄機（図示せず）に入れて洗浄し、洗浄完了後に海中に戻している。出荷時は、洗浄後、養殖カゴ１から取り出して出荷する。回転ロールＲを使用した引上げは数十年前からの周知技術である。
【０００９】
貝類付きロープの引上げの従来方法は、船の横に回転ドラムを取り付け、その回転ドラムを回転させて海中から貝類付きロープを船上に引上げている。この場合も、通常は、船上の作業員が貝類付きロープを引いて船上に引上げて船上に溜めておき、その貝類付きロープを、作業員Ｈが船上の洗浄機に入れて洗浄し、洗浄後に海中に戻している。出荷時は、洗浄後、貝類付きロープから取り外して出荷する。この引上げに関しては特許文献１、２がある。
【先行技術文献】
【特許文献】
【００１０】
【特許文献１】特開平０８−０１９３４８号公報
【特許文献２】特開平１１−１４７０７９号公報
【発明の概要】
【発明が解決しようとする課題】
【００１１】
従来の養殖カゴ引上げ方法では、養殖カゴ１が回転ロールＲの回転により海中から引上げられて船上に送り出されるため、送り出し中に養殖カゴ１が反転して出し入れ口７（図１３）が下向きになり、内部の貝類が出し入れ口７から落下することがあった。船上に落下した貝類は通常は、別途用意した新たな養殖カゴ１に入れて洗浄し、洗浄後に海中に戻している。このため、貝類が落下すると作業が多くなり、作業性が悪く、労力もかかる。貝は船上に落下するとは限らず、海中に落下することもある。この場合は養殖カゴ１に戻すことができず、養殖の歩留まりが低下し、養殖業者の減収の一因になる。
【００１２】
従来の貝類付きロープの引上げ方法では、回転ドラムの胴が丸胴で滑りやすいため、海藻や貝等付着して太くなっている貝類付きロープ（６ｍｍ〜８ｍｍ程度のロープが５０ｍｍ〜１５０ｍｍ程度にも太くなる）の場合は、滑って引上げにくいとか、滑ると貝類がロープから脱落して歩留まりが悪くなる、といったことがあった。
【００１３】
本願発明の課題は、海中から船上への引上げ中に、養殖カゴからの貝類の落下、貝類付きロープからの貝類の脱落がほとんどなく、歩留まりが向上し、効率の良い引上げ作業ができ、労力負担も軽減できるようにすることにある。
【課題を解決するための手段】
【００１４】
本願発明の養殖物引上げ方法は、海中の貝類入り養殖カゴ、貝類付きロープ等の養殖物を引上げる方法において、船に引上げガイドを取付け、その引上げガイドにより、海中で養殖中の養殖物を水平（ほぼ水平を含む：以下同じ）状態で引上げ、引上げた養殖物を水平状態で船上に又は船上の洗浄機に送り出す引上げ方法である。
【００１５】
本願発明の養殖物引上げ方法は、海中の貝類入り養殖カゴ、貝類付きロープ等の養殖物を引上げる方法において、数枚の羽根を備えた引上げガイドを船に取付けて回転させ、その回転中に前記羽根を水平回転させて、海中の養殖物を引上げて前記羽根の上に水平状態でのせ、羽根の上から水平状態で船上に又は船上の洗浄機に送り出す引上げ方法である。
【００１６】
本願発明の養殖物引上げ方法は、前記養殖物が側面に横向きに出し入れ口を備え内部に貝類を入れた養殖カゴの場合は、養殖カゴの底面が下で前記出し入れ口が横向きの水平状態で引上げ、その水平状態で船上に又は船上の洗浄機に送り出す引上げ方法である。
【００１７】
本願発明の養殖物洗浄方法は、海中の貝類入り養殖カゴ、貝類付きロープ等の養殖物を引上げて、その引上げ中に、又は船上において前記養殖物を洗浄する養殖物洗浄方法において、養殖物を、前記養殖物引上げ方法により海中から引上げ、船上において前記養殖物に洗浄体を噴射して養殖物を洗浄する方法である。
【００１８】
本願発明の養殖物洗浄方法は、海中の貝類入り養殖カゴ、貝類付きロープ等の養殖物を引上げて、その引上げ中に、又は船上において前記養殖物を洗浄する養殖物洗浄方法において、養殖物を、前記養殖物引上げ方法により海中から引上げ、引上げ中に羽根の上に水平にのせた養殖物に洗浄体を噴射して養殖物を洗浄する方法である。
【００１９】
本願発明の養殖物洗浄方法は、海中の貝類入り養殖カゴ、貝類付きロープ等の養殖物を引上げて、その引上げ中に、又は船上において前記養殖物を洗浄する養殖物洗浄方法において、養殖物を、前記養殖物引上げ方法により海中から引上げ、船上の洗浄機に水平状態で引込まれた養殖物に、洗浄機において洗浄体を噴射して養殖物を洗浄する方法である。
【００２０】
本願発明の養殖物洗浄方法は、前記養殖物洗浄方法において、引上げガイドの外周にケースを被せて、養殖物から落ちる汚れの飛散を防止するようにした方法である。
【００２１】
本願発明の養殖物洗浄方法は、前記養殖物洗浄方法において、引上げガイドをその全部又は一部が船の外に突出するように船に取付け、その外周に、汚れの飛散を防止できるケースを被せた方法である。
【００２２】
本願発明の養殖物洗浄方法は、前記いずれか養殖物洗浄方法において、洗浄体の噴射を二回以上行って養殖物を洗浄し、最初の噴射が高圧噴射、二回目以降の噴射が最初の噴射よりも低圧噴射とする洗浄方法である。
【００２３】
本願発明の養殖物洗浄方法は、前記いずれか養殖物洗浄方法において、海中からの養殖物の引上げ、洗浄、海中への戻しを連続して行う方法である。
【００２４】
本願発明の養殖物引上げガイドは、海中の養殖物を引上げて、養殖物を船上に又は船上の洗浄機に送り出すことができる養殖物引上げガイドにおいて、養殖物引上げガイドは回転式であり、引上げ中の養殖物をのせることのできる羽根を数枚備え、それら羽根は回転支持体に取り付けられて回転支持体と共に回転（公転）しながら自転して水平状態に維持することができ、その水平状態で養殖物を船上側に送り出し可能なものである。
【００２５】
本願発明の養殖物引上げガイドは、前記養殖物引上げガイドにおいて、羽根が、汚れが落下できる大きさの網目、孔、隙間を備えたものである。
【００２６】
本願発明の養殖物洗浄装置は、海中の養殖物を船上に引上げながら又は引上げてから洗浄する養殖物洗浄装置において、養殖物を海中から引上げて船上に案内する回転式の引上げガイドと洗浄機を備え、引上げガイドは回転支持体に数枚の羽根が取付けられ、それら羽根は回転支持体の回転により公転しながら自転して水平状態で回転して、海中から引上げた養殖物をのせることができ、その水平状態で船上側に送り出し可能であり、前記洗浄機は前記回転中の羽根の上に水平状態でのせた養殖物に洗浄体を噴射して洗浄することができるものである。
【００２７】
本願発明の養殖物洗浄装置は、養殖物を海中から引上げて船上に案内する回転式の引上げガイドと洗浄機を備え、引上げガイドは回転支持体に数枚の羽根が取付けられ、それら羽根は回転支持体の回転により公転しながら自転して水平状態で回転して、海中から引上げた養殖物をのせることができ、その水平状態で船上側に送り出し可能であり、前記洗浄機は前記回転中の羽根の上に水平状態でのせた養殖物に洗浄体を噴射して洗浄することができるものである。
【００２８】
本願発明の養殖物洗浄装置は、養殖物が、側面に横向きに出し入れ口を備え内部に貝類を入れた養殖カゴの場合は、養殖カゴの底面が下で前記出し入れ口が横向きの水平状態で引上げて羽根の上にのせて、その水平状態で船上の洗浄機に送り出すことができ、洗浄機がその内部で水平状態の養殖物に洗浄体を噴射して洗浄することができるものである。
【００２９】
本願発明の養殖物洗浄装置は、前記養殖物洗浄装置において、洗浄機が外周にケースを備え、ケースは洗浄時の汚れが外部に飛散するのを防止できるものである。
【００３０】
本願発明の養殖物洗浄装置は、前記養殖物洗浄装置において、引上げガイドをその全部又は一部が船の外に突出するように船に取付け、その外周にケースを被せ、ケースは洗浄時の汚れが外部に飛散するのを防止でき、洗浄時の汚れが海中に落下できるようにしたものである。
【００３１】
本願発明の養殖物洗浄装置は、前記養殖物洗浄装置において、ケースが前面に入口を、後面に出口を、側面に導入口を備え、その導入口が前記入口と出口に連通して、海中から引上げた養殖物を導入口からケース内に引込んで、入口と出口にセット可能としたものである。
【００３２】
本願発明の養殖物洗浄装置は、前記いずれかの養殖物洗浄装置において、洗浄機が、高圧洗浄装置と、それよりも圧力の低い低圧洗浄装置を備え、高圧洗浄装置からの高圧洗浄体の噴射後に、低圧洗浄装置から低圧洗浄体が噴射されるようにしたものである。
【００３３】
本願発明の養殖物洗浄装置は、前記いずれかの養殖物洗浄装置において、養殖物の引上げ、洗浄、海中への戻しを連続して行うものである。
【発明の効果】
【００３４】
本願発明の養殖物引上げ方法は、海中から水平状態で引上げた養殖物を、水平状態で引上げガイドにのせて、水平状態で船に送り出すので、養殖カゴの場合は出し入れ口が下向きになることがなく、出し入れ口から貝類が落下せず、歩留まりが良い。落下した貝類を拾う必要もないため無駄な作業もほとんど発生せず。省力化もできる。
【００３５】
本願発明の養殖物洗浄方法は、海中から水平状態で引上げた養殖物を引上げ体の羽根に水平状態でのせて、その羽根の上で養殖物を洗浄するので、引上げから洗浄までの作業を連続して自動的に行うことができ、作業性が良く、作業能率も向上する。養殖物が養殖カゴの場合でも、貝類が養殖カゴから落下することなく、引上げ、洗浄ができる。
【００３６】
本願発明の養殖物引上げガイドは、羽根が水平回転して、養殖物を水平状態で羽根の上にのせることができ、その水平状態で船上側に送り出し可能であるため、養殖カゴ内の貝類が落下しない。
【００３７】
本願発明の養殖物洗浄装置は、養殖物を引上げガイドにより水平状態で船上に送り出しながら、その引上げガイドの上で洗浄できるので、船上に専用の洗浄機を設置する必要がなく、簡潔な構成の引上げ洗浄装置になる。この場合、引上げガイドの外周をケースで被覆して、その中で洗浄機から洗浄体を噴射して洗浄できるようにすれば、汚れが周囲に飛散しないため、船上が汚れず、船上を掃除する手間も不要である。ケースの側面に導入開口部がある場合は、その導入開口部から養殖物を引込み可能であるため、洗浄作業が容易になる。
【００３８】
本願発明の養殖物洗浄装置は、引上げガイドにより水平状態で船上に送り出される養殖物を、船上に設置した洗浄機で引込みながら洗浄できるので、引上げと洗浄を連続して行うことができ、引上げ洗浄作業の自動化もできる。洗浄機の外周がケースで被覆されている場合は、汚れが船上に飛散しないので船上が汚れず、船上を掃除する手間も不要である。ケースの側面に導入開口部がある場合はその導入開口部から養殖物を引込み可能であるため洗浄作業が容易になる。
【図面の簡単な説明】
【００３９】
【図１】本願発明の養殖物引上げ方法の説明図。
【図２】（ａ）は本願発明の養殖物洗浄方法の説明図、（ｂ）はケースの説明図。
【図３】（ａ）、（ｂ）は本願発明の引上げガイドの羽根の前半部分の回転説明図。
【図４】（ａ）、（ｂ）は図３に示す羽根の後半部分の回転説明図。
【図５】本願発明の養殖物引上げガイドの駆動側斜視図。
【図６】本願発明の養殖物引上げガイドの従動側斜視図。
【図７】本願発明の養殖物引上げガイドの駆動側動作説明図。
【図８】本願発明の養殖物引上げガイドの従動側動作説明図。
【図９】（ａ）は本願発明の養殖物洗浄装置における洗浄機の一例を示す断面図、（ｂ）は（ａ）の洗浄機の斜視図。
【図１０】図９に示す洗浄機の内部構造説明図。
【図１１】（ａ）は前記洗浄機の網の説明図、（ｂ）は（ａ）の網の連結説明図。
【図１２】本願発明の養殖物洗浄装置における洗浄機の他例を示す概要図。
【図１３】養殖カゴの斜視図。
【図１４】従来の養殖カゴ吊下げ方法の概要説明図。
【図１５】従来の養殖カゴ引上げ方法の詳細説明図。
【発明を実施するための形態】
【００４０】
本願発明の養殖物引上げ方法の一実施形態を図面に基づいて説明する。この実施形態は籠養殖中の養殖カゴ１（図１）の場合である。この実施形態は、養殖カゴ1内に入れる貝類が帆立貝の場合であるが、他の貝類の場合でも同様である。養殖カゴ1は夫々の養殖カゴ1の吊り紐６で多数連結される。
【００４１】
（養殖物引上げ方法の実施形態）
図１の実施形態では、吊り紐６で連結されて海中に吊り下げられている数個（多数個も含む）の養殖カゴ１を、底面を下にし、出し入れ口７（図１３）を上（横）にして、引上げガイド１０の回転により連続的に引上げ、引上げガイド１０が回転しても引上げ中の養殖カゴ１を出し入れ口７が上になる水平（ほぼ水平を含む：以下同じ）状態に維持して船上に引上げる方法である。船上に引上げた養殖カゴ１はそのまま船上の洗浄機１１に入れて洗浄することもできるが、洗浄機１１に入れずに船上にためておくこともできる。海藻や貝類等が付着している養殖カゴ１がスリップするなどして、引上げガイド１０の回転のみでは引上げ難い場合は、吊り紐６を船上の作業員が引上げることも、船上に設置した牽引具や洗浄機で引上げることもできる。
【００４２】
（養殖物洗浄方法の実施形態）
本願発明の養殖物洗浄方法は、図１のように、船上に引上げた養殖カゴ１を連続して洗浄機１１に引込んで（送り込んで）、洗浄機１１内のノズルから洗浄体を噴射して、養殖カゴ1及びその内部の貝類を洗浄し、洗浄後に、海中に戻す方法である。洗浄体は高圧洗浄液、微小粉体を含む洗浄液、気体混入液等である。
【００４３】
図２（ａ）、（ｂ）の洗浄機１１は、引上げガイド１０の外周をケース１２で囲い、そのケース１２内に配置した噴射装置１３から洗浄液を高圧噴射して、養殖カゴ１及びその内部の貝類を洗浄するものである。洗浄機１１は図９（ａ）、（ｂ）に示すようなものであってもよい。いずれの洗浄機の場合も、ケース１２で囲って、汚れが周囲に飛散しないようにするのがよい。この場合、ケース１２の海側面に入口１２ａを、船側面に出口１２ｂを、側面に導入部１２ｃを設けて、導入部１２ｃからケース１２内に、図1のように連結されている数個の養殖カゴ１を引込んで入口１２ａと出口１２ｂにセットし易くなる。
【００４４】
（養殖物引上げガイドの概要）
本願発明の養殖物引上げガイド（以下「引上げガイド」という）の一例を図３〜図８に示す。これら図に示す引上げガイド１０は、図３（ａ）、（ｂ）のように対向配置された二枚の円盤状の駆動側の支持体２０ａと従動側の支持体２０ｂの間に四枚の羽根２１ａ〜２１ｄが均等間隔で架設されている。羽根２１ａ〜２１ｄは両支持体２０ａ、２０ｂの回転により、図３（ａ）〜図４（ｂ）のように、両支持体２０ａ、２０ｂと同方向に回転（公転）し、この公転中に、公転方向と反対方向（公転が時計廻りの場合は自転は反時計廻り）に回転（自転）して、羽根２１ａ〜２１ｄが常に水平に維持されて回転するようにしてある。
【００４５】
前記公転及び自転により海中の養殖カゴ１を引上げて、四枚の羽根２１ａ〜２１ｄの上に順次のせる。この場合、養殖カゴ１の底面を下、出し入れ口７（図１３）を上にして引上げて、そのまま羽根２１ａ〜２１ｄの上にのせる。養殖カゴ１は羽根２１ａ〜２１ｄの公転及び自転により船上側に送り出される。この場合、羽根２１ａ〜２１ｄは前記のように水平状態に維持されるので、養殖カゴ１は出し入れ口７が上になったまま船上に送り出される。
【００４６】
（養殖物引上げガイドの実施形態）
本願発明の引上げガイドは図５、図６に示すように、二枚の支持体２０ａ、２０ｂの間に四枚の羽根２１ａ〜２１ｄが均等間隔で水平に配置（架設）されている。図示した羽根は四枚であるが、羽根の数はそれ以上でも以下でもよい。図示した支持体２０ａ、２０ｂは円盤状であるが、リング状のものであってもよい。図示した羽根は板状であるが、羽根は網とかパンチングメタル等のように、引上げる養殖物がスリップし難く、洗浄時に洗い落される汚れが抜け落ち易いものがよい。
【００４７】
前記二枚の支持体２０ａ、２０ｂは固定軸２２（図５、図６）で連結されている。図５に示すように一方（駆動側）の支持体２０ａの外側（外面）中心部に駆動回転体（駆動スプロケット）２３が固定され、その外側にベアリングユニット（中心軸受）２４ａが固定され、図６に示すように他方（従動側）の支持体２０ｂの外側（外面）中心部に中心軸受２４ｂが固定されている。
【００４８】
固定軸２２は、駆動側の中心軸受２４ａ−駆動スプロケット２３−駆動側の支持体２０ａ−従動側の支持体２０ｂ−従動側の中心軸受２４ｂに貫通され、両端部がシャフトホルダー２５ａ、２５ｂ（図５、図６）で支持されている。シャフトホルダー２５ａ、２５ｂを固定基材（図示しない）に取り付けて固定軸２２を回転自在とし、その回転により両支持体２０ａ、２０ｂが回転可能となっている。前記、固定軸２２の外周であって図６に示す中心軸受２４ｂとシャフトホルダー２５ｂの間には、伝動スプロケット（伝動回転体）２６が取り付けられている。
【００４９】
前記四枚の羽根２１ａ〜２１ｄは、二枚の支持体２０ａ、２０ｂの間に配置され、両支持体２０ａ、２０ｂに３６０度回転自在（３６０度フリー回転可能）に支持されている。図３〜図６に示す羽根２１ａ〜２１ｄは板状であり、その長手方向両端部が下向きＬ状に曲げられて固定端部２７が形成されている。この固定端部２７が支持体２０ａ、２０ｂの夫々の内面に当接し、その固定端部２７の内側に配置した内側軸受２８（図６）と支持体２０ａ、２０ｂの外面に配置した外側軸受２９（図５）とを連結固定することにより、両軸受２８、２９で前記固定端部２７と支持体２０ａ、２０ｂの夫々を挟んだ状態で、羽根２１ａ〜２１ｄを両支持体２０ａ、２０ｂの内側に３６０度回転自在に支持してある。さらに、従動側の内側軸受２８と外側軸受２９に支持軸３０ａ〜３０ｄを嵌入固定することにより、支持軸３０ａ〜３０ｄが回転すると、羽根２１ａ〜２１ｄが両支持体２０ａ、２０ｂの内側で回転するようにしてある。図６に示す支持軸３０ａ〜３０ｄは従動側の内側軸受２８と外側軸受２９だけにしか嵌入固定されていないが、支持軸３０ａ〜３０ｄは駆動側の内側軸受２８と外側軸受２９まで嵌入固定できる長いものであってもよい。また、別々の支持軸で従動側の内側軸受２８と外側軸受２９を回動自在に連結し、駆動側の内側軸受２８と外側軸受２９を回動自在に連結することもできる。
【００５０】
前記四本の支持軸３０ａ〜３０ｄの外側突出端部には同期スプロケット（同期用回転体）３１を取り付けてある。いずれか一本の支持軸３０ａ〜３０ｄには連携スプロケット（連携回転体）３２（図６、図９）も取り付けてある。
【００５１】
（引上げガイドの動作）
前記引上げガイド１０は図７、図８のようにして回転動作可能としてある。モータ等の駆動体Ｍの回転輪（例えば、スプロケット）３３と引上げガイド１０の駆動スプロケット２３に駆動チェーン３４をかけ、図８のように伝動スプロケット２６と連携スプロケット３２に伝動チェーン３５を掛け、さらに、図８のように、四個の同期スプロケット３１ａ〜３１ｄに同期チェーン３６を掛けてある。
【００５２】
前記連携状態で、駆動体Ｍを回転させると、スプロケット３３−駆動チェーン３４−駆動スプロケット２３−駆動側の支持体２０ａ−固定軸２２−従動側の支持体２０ｂが回転し、両支持体２０ａ、２０ｂと共に羽根２１ａ〜２１ｄが回転（公転）する。この公転に伴って、伝動スプロケット２６−伝動チェーン３５−連携スプロケット３２が回転し、更に、支持軸３０ａ−同期スプロケット３１ａ−同期チェーン３６−同期スプロケット３１ｂ〜３１ｄ及びそれらスプロケット３１ｂ〜３１ｄが取り付けられている支持軸３０ｂ〜３０ｄが回転する。支持軸３０ａ〜３０ｄの回転に伴って、それらに取り付けられている羽根２１ａ〜２１ｄが、前記支持体２０ａ、２０ｂの回転と反対方向に回転（自転）して、回転中の羽根２１ａ〜２１ｄを水平に維持されるようにしてある。
【００５３】
（引上げガイドによる養殖カゴの引上げ）
前記のように羽根２１ａ〜２１ｄが公転すると、海中に吊り下げられている養殖カゴ１が連続して引上げられ、四枚の羽根２１ａ〜２１ｄのうち最も海側に位置する羽根の上に乗り上げ、その後、回転中の四枚の羽根２１ａ〜２１ｄに順次乗り上げる。前記引上げ中に羽根２１ａ〜２１ｄが自転して、羽根２１ａ〜２１ｄが水平状態のまま公転するため、羽根２１ａ〜２１ｄの上に引上げられた養殖カゴ１は水平状態のまま（出し入れ口７が上向きのまま）船上に送り出され、養殖カゴ１内の貝類が出し入れ口７から落下することはない。このとき、必要に応じて、船上の作業員Ｈ又は牽引具で養殖カゴ１の吊り紐６を引いて、羽根の上の乗り上げた養殖カゴ１が自重で滑り落ちたり引戻されたりしないようにする。
【００５４】
吊り紐６で多数個連結されて幹ロープＰに吊り下げられている養殖カゴ１の引上げが終了したら、幹ロープＰに吊り下げられている隣の列の養殖カゴ１を、前記と同様にして海中から引上げる。
【００５５】
（養殖物洗浄装置の実施形態１）
本願発明の養殖物洗浄装置は、図１のように船上に引上げガイド１０と洗浄機１１が設置され、引上げガイド１０で引上げた養殖カゴ１を洗浄機１１に引込んで洗浄できるようにしてある。
【００５６】
本願発明では、各種形状、構造、機能の洗浄機を使用できるが、一例として図２（ａ）、（ｂ）に示す洗浄機１１は、引上げガイド１０の外周に被せるケース１２と、ケース１２の上面内側に設置した噴射装置１３を備えており、噴射装置１３から噴射される洗浄体で養殖カゴ１とその内部の貝類を洗浄するものである。ケース１２の海側面に入口１２ａが、船側面に出口１２ｂが開口され、側面に導入口１２ｃが開口されて、引上げガイド１０で引上げた養殖カゴ１を横スライドさせて導入口１２ｃからケース１２内に引込んで、前記入口１２ａと出口１２ｂにセットすることができるようにしてある。導入口１２ｃには飛散防止具を設けて導入口１２ｃを閉塞して、養殖カゴ洗浄時の汚れが導入口１２ｃから外部に飛散しないようにするのが望ましい。飛散防止具は開閉式ものでも良いが、常時閉塞しており、養殖カゴ１を横スライドさせるとケース１２の内側に押し込まれて開き、養殖カゴ１をケース１２内に導入するとケース１２の外側に復元して導入口１２ｃを自動的に閉塞できるものが望ましい。
【００５７】
図２（ａ）、（ｂ）のように、ケース１２は底面開口の箱型にし、それを引上げガイド１０の上から被せて連結具（図示しない）により船に取付けておく。この場合、ケース１２の底面開口部１２ｄを海上に突出させて、洗い落とされる汚れが底面開口部１２ｄから海上に落下して、船上に落下しないようにして、船上が汚れにくくなるようにするのがよい。底面開口部１２ｄに排出ガイド１２ｅ（図２（ｂ））を設け、排出ガイド１２ｅを海側に向けて下り傾斜にして、洗い落とされる汚れが排出ガイド１２ｅの上から海上に滑落するようにすることもできる。いずれの場合も、引上げガイド１０をその全部又は一部が海上に突出するように取付けて、引上げガイド１０の羽根２１ａ〜２１ｄの上に水平に引上げられた養殖カゴ１に洗浄体を噴射して洗浄すると、落ちた汚れが海上に落下するようにするのが望ましい。
【００５８】
洗浄体には高圧液体、液体内に粉体が含まれている粉体含有高圧洗浄液、気体が含まれている気体含有高圧洗浄液、その他、適宜のものを使用することができる。
【００５９】
（養殖物洗浄装置の実施形態２）
洗浄機１１は図１０に示すようなものであってもよい。この洗浄機１１は船上設置型であり、ケース１２内に下搬送体４０と上搬送体４１が対向配置され、上下にノズル式の噴射装置１３を備えており、その噴射装置１３から噴射される洗浄体で養殖カゴ１とその内部の貝類を洗浄するものである。両搬送体４０、４１は網状の回転コンベアであり、それら回転コンベアの回転により、両回転コンベアの間に養殖カゴ１が引込まれ、両搬送体４０、４１を通過中に、前記噴射装置１３のノズルから洗浄体を噴射して、養殖カゴ１とその内部の貝類を洗浄できるようにしたものである。
【００６０】
下搬送体４０、上搬送体４１、噴射ノズル１３はケース１２内に収納されている。ケース１２の正面壁には入口１２ａが、後面壁には出口１２ｂが開口され、側面壁には導入口１２ｃが開口されて、引上げガイド１０で引上げた養殖カゴ１を横スライドさせて導入口１２ｃからケース１２内に引込んで、入口１２ａと出口１２ｂにセットできるようにしてある。この導入口１２ｃには飛散防止具３７（図９（ｂ））を設けて導入開口部１２ｃを閉塞して、洗浄時の汚れが導入開口部１２ｃから外部に飛散しないようにしてある。ケース１２の底面は底板（図示しない）で閉塞して、ケース１２内で洗浄された汚れが底板の上に落下して、底板から海中へ滑落するようにすることもできる。このようにすることにより、船上の汚れを防止することができる。
【００６１】
上部搬送体４１及び下部搬送体４０は駆動装置によって強制回転させることができる。上部搬送体４１を駆動装置によって強制回転させて下部搬送体４０は自由回転とすることも、逆に、下部搬送体４０を駆動装置によって強制回転させて上部搬送体４１は自由回転とすることもできる。上部搬送体４１及び下部搬送体４０はともに自由回転とし、他の牽引装置で養殖用カゴ１を搬送方向に引っ張ることもできる。
【００６２】
図１０では、上部搬送体４１の入り口部４１ａをやや上向きに屈折させて、上部搬送体４１と下部搬送体４０の間に形成される隙間をその搬送方向における先方（下流側）区間の隙間より広くして、養殖用カゴ１が入り口部に引込まれ易くなり、前記隙間に円滑に案内されるようにしてある。
【００６３】
下部搬送体４０、上部搬送体４１には金網が使用されている。この金網は汎用の金網でも良いが、図１１（ａ）、（ｂ）に示すように、矩形の網目が連続する金網４２であってもよい。図１１（ａ）の金網４２は波型材４３を線材４４で連結して網状にしてあるが、金網４２は短い金属片を多数枚連結して矩形の網目状にしたものであってもよい。金網４２の場合は網目４５に養殖物に付着している汚れが落ち込んで滑り止めになり、網目４５の周壁４６に養殖物に付着している汚れが係止して滑り止めになる。
【００６４】
本願発明の洗浄機は図１２のようなものであってもよい。この洗浄機１１は下搬送体４０を図１０の下搬送体４０と同様に金網製にし、その上に押し具４７を配置して、下搬送体４０の上の養殖部を押し具４７で押しながら搬送し、その搬送中に洗浄装置１３から洗浄体を噴射して、養殖物及びその中の貝類を洗浄できるようにしたものである。
【００６５】
噴射装置１３は前記洗浄体を噴射できるものである。既存のこの種の洗浄装置で使用されている噴射装置を使用することができる。噴射装置１３の噴射ノズルは細長のものであっても、個別のものであってもよく、固定式のものであってもよい。いずれの場合も長さ、設置数、設置間隔、移動方向、回転方向、移動スピード、回転スピード等は洗浄に適するように設定する。噴射する液体は海水に限らず、加圧された水や他の液体を利用することもできる。この液体に高圧のガス（空気などの気体）を混入させると、帆立貝により強い衝撃を与えることができる。あるいは、海水などの液体に代えて高圧ガスのみを噴射することもできる。高圧液体、粉体含有高圧洗浄液、気体含有高圧洗浄液、その他、適宜のものを使用することができる。
【００６６】
本願発明では、洗浄機が高圧洗浄装置とそれよりも圧力の低い低圧洗浄装置を備え、高圧洗浄装置からの高圧洗浄体の噴射後に、低圧洗浄装置から低圧洗浄体が噴射されるようにすることもできる。
【産業上の利用可能性】
【００６７】
これまで述べた養殖用カゴ１は一般的な座布団カゴの場合であるが、本願発明では、座布団カゴに限らず、丸カゴなど他の形状や構造の養殖カゴ１の引上げ、洗浄に使用できる。耳釣り養殖の貝類付きロープ、その他の海中物、例えば、昆布等の引上げ、洗浄に使用することもできる。
【符号の説明】
【００６８】
１    養殖カゴ
２    枠材
３    補強材
４    枠体
５    ネット
６    吊り紐
７    出し入れ口
１０    引上げガイド
１１    洗浄機
１２    ケース
１２ａ  （ケースの）入口
１２ｂ  （ケースの）出口
１２ｃ  （ケースの）導入開口部
１２ｄ  （ケースの）底面開口部
１２ｅ  排出ガイド
１３    噴射装置
２０ａ  （駆動側の）支持体
２０ｂ  （従動側の）支持体
２１ａ〜２１ｄ  羽根
２２    固定軸
２３    駆動回転体（駆動スプロケット）
２４ａ  （駆動側の）中心軸受
２４ｂ  （従動側の）中心軸受
２５ａ、２５ｂ  シャフトホルダー
２６    伝動スプロケット
２７    （羽根の）固定端部
２８    内側軸受
２９    外側軸受
３０ａ〜３０ｄ  支持軸
３１ａ〜３１ｄ  同期スプロケット
３２    連携スプロケット
３３    回転輪
３４    駆動チェーン
３５    伝動チェーン
３６    同期チェーン
３７    飛散防止具
４０    下搬送体
４１    上搬送体
４２    金網
４３    波型材
４４    線材
４５    網目
４６    周壁
４７    押し具
Ａ    （枠体の）中心部
Ｂ    （補強ネットの）頂部
Ｇ    案内紐（テボ）
Ｈ    作業員
Ｍ    駆動体
Ｏ    浮き玉
Ｐ    幹ロープ
Ｒ    回転ロール
Ｓ    船
Ｗ    羽根
【図１】
2015136331.tif 000003
【図２】
2015136331.tif 000004
【図３】
2015136331.tif 000005
【図４】
2015136331.tif 000006
【図５】
2015136331.tif 000007
【図６】
2015136331.tif 000008
【図７】
2015136331.tif 000009
【図８】
2015136331.tif 000010
【図９】
2015136331.tif 000011
【図１０】
2015136331.tif 000012
【図１１】
2015136331.tif 000013
【図１２】
2015136331.tif 000014
【図１３】
2015136331.tif 000015
【図１４】
2015136331.tif 000016
【図１５】
2015136331.tif 000017